【事件の表示】
　特願２０１１−　１７８６８「ソレノイドバルブ」拒絶査定不服審判事件〔平成２４年　８月２３日出願公開，特開２０１２−１５９１１７〕について，次のとおり審決する。
【結　論】
　本件審判の請求は，成り立たない。
【理　由】
１．手続の経緯
　本件審判に係る出願（以下，「本願」と言う。）は，平成２３年１月３１日の特許出願であって，平成２６年１０月３１日付けで拒絶の理由を通知したところ，指定した期間内に応答がなかったので，平成２７年３月２０日付けで拒絶査定がされたところ（発送日：平成２７年３月２４日），これに対して，平成２７年６月２４日に本件審判が請求されると同時に手続補正がされたものである。
　
２．平成２７年６月２４日付けの手続補正についての補正却下の決定
［補正却下の決定の結論］
　平成２７年６月２４日付けの手続補正（以下，「本件補正」という。）を却下する。
［理由］
（１）本件補正後の本願補正発明
　本件補正により，特許請求の範囲の請求項１は，次のように補正された。
ア．本件補正前
「固定鉄芯と，
　前記固定鉄芯の回りに設けられたソレノイドコイルと，
　前記固定鉄芯と前記ソレノイドコイルの吸引力により可動するピン部を有する可動鉄芯と，
　前記可動鉄芯の内穴に設けられ前記固定鉄芯から該可動鉄芯が離隔するスプリングと，
　前記可動鉄芯により流体の流れを制御するようにされた弁部と，
　を備えたソレノイドバルブにおいて，
　前記可動鉄芯には，前記スプリングの挿入穴と前記可動鉄芯のピン部固定穴とが略同一内径の貫通穴に形成されていることを特徴とするソレノイド。」（本願の願書に添付された特許請求の範囲参照。）
イ．本件補正後
「固定鉄芯と，
　前記固定鉄芯の回りに設けられたソレノイドコイルと，
　前記固定鉄芯と前記ソレノイドコイルの吸引力により可動する，ピンを有した可動鉄芯と，
　前記可動鉄芯の貫通穴に設けられ前記固定鉄芯から該可動鉄芯を離隔するスプリングと，
　前記可動鉄芯により流体の流れを制御するようにされた弁部と，
　を備えたソレノイドバルブにおいて，
　前記可動鉄芯の貫通穴は，前記スプリングの挿入穴と前記ピンの固定穴とにより略同一内径に形成された貫通穴であって，かつ前記ピンはピン圧入部とフランジ部を備えたピンであって，前記ピン圧入部が前記可動鉄芯の貫通穴に圧入されることで前記フランジ部が前記可動鉄心の端面に固定されていることを特徴とするソレノイドバルブ。」
ウ．上記補正は，補正前の請求項１に記載された発明を特定するために必要な事項である「ピン部」について，それが「ピン圧入部とフランジ部を備えたピン」であることを限定した上で「前記ピン圧入部が前記可動鉄芯の貫通穴に圧入されることで前記フランジ部が前記可動鉄心の端面に固定されている」と言う限定事項を付加したことを含むものであって，特許法第１７条の２第５項第２号の特許請求の範囲の減縮を目的とするものに該当する。
エ．そこで，本件補正後の前記請求項１に記載された発明（以下「本願補正発明」と言う。）が特許出願の際独立して特許を受けることができるものであるか（特許法第１７条の２第６項において準用する同法第１２６条第７項の規定に適合するか）について以下に検討する。　
（２）刊行物
ア．原査定の拒絶の理由に引用文献１として示された特開２０００−２４０８２６号公報（以下「刊行物」という。）は，「方向制御シート弁およびその組み立て方法」に関するものであって，図面とともに以下の事項が記載されている。
・「【００１７】
【発明の実施の形態】図１は，直接制御方式の３ポート２位置方向制御弁１の断面図である。この３ポート２位置方向制御弁１はカートリッジ構成で実施されており，弁穴４を備えた弁ケース２を有している。弁穴４には圧力接続部Ｐと，作動接続部Ａと，タンク接続部Ｔとが開口している。圧力接続部Ｐは軸線方向において弁穴４に開口しており，他方作動接続部Ａとタンク接続部Ｔとは星形の半径方向の穴として形成されている。図１に図示した３ポート２位置方向制御弁は，いわゆる１−ボール弁として実施されており，２つの弁座８,１０を付設した弁体６を有している。次に，これら弁座８,１０について詳細に説明する。
【００１８】図１に図示した基本位置では，弁体６は凸子１２により，図１で右側に図示した弁座８に対し押圧される。凸子１２は電磁石１６の接極子１４と一体に形成されており，圧縮ばね１８により弁体６に接触する位置へ付勢される。
【００１９】以下に詳細に説明する電磁石１６は引張り型磁石として実施されているので，電磁石１６を通電すると，凸子１２は圧縮ばね１８の緊張力に抗して弁体６から離間することができる。
【００２０】電磁石１６は深絞りのハウジング２０を有し，ハウジング２０内にはコイル２４を備えたコイル体２２が収容されている。コイル体２２は，図１で左側に図示した端部部分に，電磁石１６に給電するためのプラグ２６を有している。コイル体２２には金属円板２８が射出成形されている。
【００２１】図１によれば，コイル体２２はその右側の端面に開口する軸穴を有し，この軸穴の中に管３２が挿着されている。管３２は極鉄心３４を有し，極鉄心３４の１つの端面は金属円板２８に当接し，他の端面は磁気的に非伝導性の材料からなる板片３６を備えている。磁心３４は管３２に密に挿着されている。極鉄心３４の，図１で右側の端部部分には，軸方向の袋穴が形成され，その内側の端面で前記圧縮ばね１８が支持されている。これに対応して板片３６は，圧縮ばね１８が貫通する破断部を有している。
【００２２】さらに図１からわかるように，管３２とコイル体２２とはほぼ板片３６の領域において傾斜肩部３８を介して半径方向へ拡大されている。この半径方向に拡大されたコイル体２２および管３２の領域は，延設部４０を受容するために用いる。この延設部４０を介して弁ケース２は電磁石１６と結合しており，より厳密に言えば，コイル体２２およびハウジング２０と結合されている。
【００２３】弁ケース２を貫通している軸穴４では接極子１４が案内されており，その，極鉄心３４に向いている端部部分は，半径方向へ拡大されている。接極子１４の，半径方向へ拡大している部分は，遊びを持って軸穴４で案内されている。接極子１４には中心穴４２が貫通している。中心穴４２は，図１で左側の端面のほうへ拡大している。この拡大部により形成される環状端面に圧縮ばね１８が係合している。
【００２４】中心穴４２に開口する半径方向の穴４６を備えた環状溝４４は，接極子１４の半径方向拡大部分の領域に形成されている。接極子１４は弁座８,１０のほうへ向いている端部部分で先細りになっているので，凸子１２が形成される。この先細りになっている領域には横穴４８が形成されており，この横穴４８において中心穴４２が終わっている。横穴４８は，ほぼタンク接続部Ｔの領域で弁穴に連通している。
【００２５】圧縮ばね１８を収容するためのばね空間と，環状溝４４に隣接している弁ケース２の周壁とによって形成される空間は，穴４２,４６,４８とタンク接続部Ｔを介してタンクと連通しているので，これらの領域には無視できるほどのタンク圧しか発生せず，他方電磁石１６の可動部材の潤滑が保証されている。」　
・「【００４２】図５に図示した方向制御型シートバルブ上述の実施形態と異なっているのは，接極子１４と凸子１２が互いに一体的に形成されているのではなく，別個の部材であることである。接極子１４は中心穴４２を有し，中心穴４２は接極子１４を軸線方向に貫通しており，中心穴４２に凸子１２が圧入されている。中心穴４２の壁は少なくとも１つの縦溝８８を有し，縦溝８８により，圧縮ばね１８を収容しているばね空間９０がタンク接続部Ｔと連通している。
【００４３】接極子１４と凸子１２は別個の部材であるので，圧縮ばねの付勢力は力依存位置への凸子１２の圧入により簡単かつ正確に設定することができる。凸子１２は，接極子１４をストッパー上に載置したときに圧縮ばね１８の力が所定の力に達するまで接極子１４内へ圧入される。これにより，圧力保護用の調整公差が非常に小さい。また，ブシュにおいても接極子１４においても同軸性の必要性が少ないので，個々の部材のコストが節約される。
【００４４】極鉄心３４は，前述の実施形態とは異なり，その中心を貫通している軸線方向の穴９２を有し，この軸線方向の穴９２のなかに，筒状部分９４を備えた管３２が突出している。筒状部分９４は鍋状に形成されている。筒状部分９４の底部で圧縮ばね１８が支持されている。低部は金属円板２８から間隔を持って位置し，金属円板２８には極鉄心３４が接している。」　
イ．上述した事項全体から，まず，電磁石１６により操作される方向制御シート弁が把握される。
　次に，電磁石１６は，極鉄心３４の回りに設けられたコイル２４に通電すると，その吸引力により接極子１４が可動するものであると理解できる。
　また，弁体６及び弁座８は，接極子１４により流体の流れを制御するようにされたものであると把握できる。
　さらに，接極子１４の中心穴４２には，極鉄心３４から当該接極子１４を離隔する圧縮ばね１８が挿入されるとともに凸子１２が圧入により固定されていることが把握できる。そして，図５の記載内容も徴すれば，接極子１４の中心穴４２は，圧縮ばねが挿入される部位と凸子が圧入により固定される部位とで略同一内径に形成されていると理解できる。
ウ．上述した事項を踏まえ，本願補正発明の表現にならって整理すると，刊行物には，次の発明が記載されていると認めることができる（以下，この発明を「刊行物記載の発明」と言う。）。　　
「極鉄芯と，
　前記極鉄芯の回りに設けられたコイルと，
　前記極鉄芯と前記コイルの吸引力により可動する，凸子を有した接極子と，
　前記接極子の中心穴に設けられ前記極鉄芯から該接極子を離隔する圧縮ばねと，
　前記接極子により流体の流れを制御するようにされた弁体及び弁座と，
　を備えた電磁石により操作される方向制御シート弁において，
　前記接極子の中心穴は，前記圧縮ばねの挿入される部位と前記凸子の圧入固定される部位とにより略同一内径に形成された中心穴であって，かつ前記凸子は前記接極子の中心穴に圧入されることで前記接極子に固定されている電磁石により操作される方向制御シート弁。」
（３）刊行物２
ア．本願の出願前に日本国内において頒布された刊行物である特開２００９−１５６３１２号公報（以下，「刊行物２」と言う。）は，「ソレノイドバルブ」に関するものであって，図面とともに以下の事項が記載されている。
・「【０００７】
　図１に示すように，固定鉄芯１１は断面凹状の空間部１５を有する円筒部１６と，前記空間部１５の開口端１７に設けられた鍔部１８と，を備える。空間部１５の円筒部１６の底部１９にはドレーン用の貫通穴２０が設けられている。固定鉄芯１１の円筒部１６の外側１６ａ及び鍔部１８の円筒部外周面１８ａに接するようにソレノイドコイル１２が嵌挿されている。ソレノイドコイル１２はプラスチック製のボビン１２ａに巻き線１２ｂが巻かれている。ボビン１２ａの上端１２ｃが鍔部１８に対向して配置され，ボビン１２ａの内径１２ｄが円筒部外周面１８ａに嵌挿されている。ボビン１２ａの下端には断面Ｌ字で円筒状の鉄製のヨーク２１が固定されている。ボビン１２ａの下方から端子部２２が半径方向に突出し外部から電力が供給される。
【０００８】
　固定鉄芯１１の下端１１ａ及びボビン１２ａの内径１２ｅに沿って移動可能に可動鉄芯１３が設けられている。固定鉄芯１１と可動鉄芯１３との間にはシム２３が設けられ，固定鉄芯１１と可動鉄芯１３とが直接接触しないようにされている。可動鉄芯１３は凹状穴１３ａを有する中空円筒状であり，底部にピン１３ｂが固定されている。凹状穴１３ａにはスプリング２４が設けられ，スプリング２４の上部が固定鉄芯１１の下端１１ａにシム２３を介して当接し，スプリング２４のスプリング力により可動鉄芯１３と固定鉄芯１１が離隔するようにされている。可動鉄芯１３及びヨーク２１の下部に弁部１４が設けられている。弁部１４は上部に鍔１４ａを有し，鍔１４ａ，ヨーク２１，ソレノイドコイル１２，固定鉄芯１１の鍔部１８がカバー２５の両端部２５ａ，２５ｂで挟持するように加締め固定されている。」
・「【００１１】
　可動鉄芯１３のピン１３ｂはその先端がばね部材２４の弾発力によりボール３１に当接可能にされており，巻き線１２ｂに通電することにより，固定鉄芯１１側に吸引されボール３１と接触しないようにされる。
　図１の右側に示すようにソレノイドコイル１２が非励磁の場合には，ボール３１はスプリング２４のスプリングによりピン１３ｂに押し圧されて圧力ポート側弁座３０に着座し，圧力ポート２９と負荷ポート３３を遮断し，負荷ポート３３とタンクポート３４とを連通させる。
　図１の左側に示すようにソレノイドコイル１２が励磁され，ピン１３ｂがボール３１と離れているときは，ボール３１は圧力ポート２９の圧力に押され，タンクポート側弁座３２に着座し，圧力ポート２９と負荷ポート３３を連通し，負荷ポート３３とタンクポート３４を遮断させる。これにより，ソレノイドコイル１２のＯＮ−ＯＦＦにより流路を切り換える３方向２位置のノーマルクローズ弁を提供する。」
イ．上述した事項及び図１の記載内容から，ピン１３ｂには，可動鉄芯の貫通穴に挿入されるピン固定部とフランジ部とが備えられており，当該ピン固定部が当該可動鉄芯の貫通穴に挿入された状態で当該フランジ部が当該可動鉄心の端面に固定されていることが把握できる。
ウ．上述した事項を踏まえ，本願補正発明の表現にならって整理すると，刊行物２には，次の発明が記載されていると認めることができる（以下，この発明を「刊行物２記載の発明」と言う。）。　　
「固定鉄芯と，
　前記固定鉄芯の回りに設けられたソレノイドコイルと，
　前記固定鉄芯と前記ソレノイドコイルの吸引力により可動する，ピンを有した可動鉄芯と，
　前記可動鉄芯の貫通穴に設けられ前記固定鉄芯から該可動鉄芯を離隔するスプリングと，
　前記可動鉄芯により流体の流れを制御するようにされた弁部と，
　を備えたソレノイドバルブにおいて，
　前記ピンはピン固定部とフランジ部を備えたピンであって，前記ピン固定部が前記可動鉄芯の貫通穴に挿入された状態で前記フランジ部が前記可動鉄心の端面に固定されているソレノイドバルブ。」
（４）対比・判断
ア．本願補正発明と刊行物記載の発明を対比する。
（ア）刊行物記載の発明の「極鉄心」，「コイル」，「接極子」，「弁体及び弁座」は，それぞれ，本願補正発明の「固定鉄芯」，「ソレノイドコイル」，「可動鉄芯」，「弁部」に相当する。
　刊行物記載の発明の「中心穴」，「凸子」，「圧縮ばね」は，それぞれ，本願補正発明の「貫通穴」，「ピン」，「スプリング」に相当する。
　刊行物記載の発明の「圧縮ばねの挿入される部位」，「凸子の圧入固定される部位」は，それぞれ，本願補正発明の「スプリングの挿入穴」，「ピンの固定穴」に相当する。
　刊行物記載の発明の「前記凸子は前記接極子の中心穴に圧入されることで前記接極子に固定されている」なる態様と本願補正発明の「前記ピンはピン圧入部とフランジ部を備えたピンであって，前記ピン圧入部が前記可動鉄芯の貫通穴に圧入されることで前記フランジ部が前記可動鉄心の端面に固定されている」なる態様とは，「前記ピンは前記可動鉄芯の貫通穴に圧入されることで前記可動鉄心に固定されている」という限りで一致している。
　刊行物記載の発明の「電磁石により操作される方向制御シート弁」は，本願補正発明の「ソレノイドバルブ」に相当する。
（イ）そうすると，両者の一致点及び相違点は，次のとおりである。
[一致点]
「固定鉄芯と，
　前記固定鉄芯の回りに設けられたソレノイドコイルと，
　前記固定鉄芯と前記ソレノイドコイルの吸引力により可動する，ピンを有した可動鉄芯と，
　前記可動鉄芯の貫通穴に設けられ前記固定鉄芯から該可動鉄芯を離隔するスプリングと，
　前記可動鉄芯により流体の流れを制御するようにされた弁部と，
　を備えたソレノイドバルブにおいて，
　前記可動鉄芯の貫通穴は，前記スプリングの挿入穴と前記ピンの固定穴とにより略同一内径に形成された貫通穴であって，かつ前記ピンは前記可動鉄芯の貫通穴に圧入されることで前記可動鉄心に固定されているソレノイドバルブ。」　　　　
[相違点]
　本願補正発明では，ピンはピン圧入部とフランジ部を備えたピンであって，当該ピン圧入部が可動鉄芯の貫通穴に圧入されることで当該フランジ部が当該可動鉄心の端面に固定されているのに対して，刊行物記載の発明では，ピンに関してそのように特定されたものではない点。
イ．相違点について検討する。
（ア）刊行物２記載の発明は，刊行物記載の発明及び本願補正発明と同じ技術分野に属し且つ基本的構成が共通するものと言えるものであって，特に，可動鉄芯に対するピンの固定に関して，ピン固定部とフランジ部を備えたピンを用いて当該フランジ部が当該可動鉄心の端面に固定される構成を採用したものである。
　刊行物記載の発明において，同じ技術分野に属し且つ基本的構成が共通する刊行物２記載の発明，特にそのピン固定部とフランジ部を備えたピンを用いて当該フランジ部が可動鉄心の端面に固定される構成を考慮して，ピンをピン圧入部とフランジ部を備えたピンとして，当該ピン圧入部が可動鉄芯の貫通穴に圧入されることで当該フランジ部が当該可動鉄心の端面に固定されている構成を採用すること自体は，当業者にとって格別の創作能力を要さずになし得た範囲内の事項である。
　すなわち，刊行物記載の発明において，上記相違点に係る本願補正発明の構成を採用することは，当業者が格別の創作能力を要さずになし得たことである。
（イ）刊行物２記載の発明では，可動鉄芯に対するピンの固定に際して，フランジ部が存在することによって当該ピンの当該可動鉄芯の貫通穴への挿入の程度に限度があること，すなわち当該ピンが奧に深く入り込み過ぎないようになっていることは，当業者にとって自明の事項である。
　そうすると，本願明細書の記載の限りでは，本願補正発明の構成によって，刊行物記載の発明及び刊行物２記載の発明からみて格別顕著な効果がもたらされると言うこともできない。
（ウ）したがって，本願補正発明は，刊行物記載の発明及び刊行物２記載の発明に基づいて，当業者が容易に発明し得たものであるから，特許法第２９条第２項の規定により特許出願の際独立して特許を受けることができない。
（５）小括
　よって，本件補正は，特許法第１７条の２第６項において準用する同法第１２６条第７項の規定に違反するので，同法第１５９条第１項において読み替えて準用する同法第５３条第１項の規定により却下されるべきものである。
　
３．本願発明について
（１）本願発明
　平成２７年６月２４日付けの手続補正は上記のとおり却下されたので，本件に係る出願の各請求項に係る発明は，本願の願書に添付された特許請求の範囲に記載されたとおりのものであるところ，その請求項１は「２．（１）ア．」に記載したとおりである（以下，この請求項１に係る発明を「本願発明」と言う。）。
（２）刊行物
　刊行物及びその記載事項並びに刊行物記載の発明は，「２．（２）」に記載したとおりである。
（３）対比・判断
　本願発明と刊行物記載の発明を対比すると，「２．（３）ア．」での検討を踏まえれば，本願発明では「ピン」に関して「ピン圧入部とフランジ部を備えたピンであって，当該ピン圧入部が可動鉄芯の貫通穴に圧入されることで当該フランジ部が当該可動鉄心の端面に固定されている」との発明特定事項が備えられていないので，両者の間で，実質的に相違する点はない。
　すなわち，本願発明と刊行物記載の発明の発明特定事項において実質的に相違するところはない。
　したがって，本願発明は，刊行物記載の発明であるから，特許法第２９条第１項第３号の規定に該当するものである。
　
４．むすび
　以上のとおりであるから，本願発明は，特許法第２９条第１項第３号の規定に該当するので，特許を受けることができない。
　したがって，本願は，拒絶されるべきものである。
　よって，結論のとおり審決する。